(57)【要約】【目的】ハンドル部の高さ調整を容易に行うことが可能な、手押し車におけるハンドル高さ調整機構を提供すること。【構成】ハンドル部を支持し、上下方向に設けられる一対のスライド部材に複数の孔部を設け、スライド部材が上下方向に移動することを可能に支持する一対の連結部材間に架け渡されるパイプ部材に、水平方向に伸びる一対の長孔を設け、当該長孔からパイプ部材外部に突出するガイドピンを備えると共に、パイプ部材内を往復動自在であり端部が孔部に出入り自在な、一対のインサート部材をパイプ部材内に装備し、パイプ部材に摺動自在に巻回され、その内周面に斜め方向に下降し、ガイドピンを緩挿可能なガイド溝を一対設けた操作レバーを備えて構成した。【選択図】        図１
2015058905.tif 000002
【特許請求の範囲】
【請求項１】
下端に前輪を備えた前脚フレームと、下端に後輪を備えた後脚フレームと、ハンドル部を上部に備えたハンドルフレームとにより成る手押し車において、
ハンドル部（１１）を支持し、上下方向に設けられる一対のスライド部材（１２）に複数の孔部（１２ａ）を設け、
スライド部材（１２）が上下方向に移動可能に支持する一対の連結部材（２０）間に架け渡されるパイプ部材（３０）に、水平方向に伸びる一対の長孔（３１）を設け、
当該長孔（３１）からパイプ部材（３０）外部に突出するガイドピン（４１）を備えると共に、パイプ部材（３０）内を往復動自在であり端部（４２）が孔部（１２ａ）に出入り自在な、一対のインサート部材（４０）をパイプ部材（３０）内に装備し、
パイプ部材（３０）に摺動自在に巻回され、その内周面に斜め方向に下降し、ガイドピン（４１）を緩挿可能なガイド溝（５１）を一対設けた操作レバー（５０）を備えた、手押し車におけるハンドル高さ調整機構。
【請求項２】
一対のインサート部材（４０）間に押圧バネ（６０）を装備した請求項１に記載の手押し車におけるハンドル高さ調整機構。
【発明の詳細な説明】
【技術分野】
【０００１】
本発明は、手押し車に関し、より詳しくは歩行補助車、ベビーカー、ショッピングカート等の各種手押し車におけるハンドルの高さを調節するための高さ調節機構に関する。
【背景技術】
【０００２】
特許文献１には、ハンドル部を構成する円筒状のハンドルベースを、断面中空形状に形成した前輪用フレームのパイプ内に挿入し、ハンドルベースの前輪用フレームに対する位置を、ハンドルベースと前輪用フレームの連結部分に設けた調節部によって高さ方向に調節可能とした歩行補助車が開示されている。
【０００３】
特許文献２には、前輪が設けられる前側脚フレームと、後輪が設けられる後側脚フレームを連結する部材に、ハンドルフレームの高さを調節すための機構を設けた歩行補助車が開示されている。
【先行技術文献】
【特許文献】
【０００４】
【特許文献１】特開２００２−６７９７２号公報
【特許文献２】特開２０１３−７８４２４号公報
【発明の概要】
【発明が解決しようとする課題】
【０００５】
手押し車の主な利用者は老人であることから、その操作は簡易なものであることが望まれる。
【０００６】
そこで本発明は、ハンドル部の高さ調整を容易に行うことが可能な、手押し車におけるハンドル高さ調整機構を提供することを目的とする。
【課題を解決するための手段】
【０００７】
上記の目的を達成する本発明の構成は次の通りである。
【０００８】
（１）  請求項１に記載の発明は、下端に前輪を備えた前脚フレームと、下端に後輪を備えた後脚フレームと、ハンドル部を上部に備えたハンドルフレームとにより成る手押し車において、ハンドル部を支持し、上下方向に設けられる一対のスライド部材に複数の孔部を設け、スライド部材が上下方向に移動することを可能に支持する一対の連結部材間に架け渡されるパイプ部材に、水平方向に伸びる一対の長孔を設け、当該長孔からパイプ部材外部に突出するガイドピンを備えると共に、パイプ部材内を往復動自在であり端部が孔部に出入り自在な、一対のインサート部材をパイプ部材内に装備し、パイプ部材に摺動自在に巻回され、その内周面に斜め方向に下降し、ガイドピンを緩挿可能なガイド溝を一対設けた操作レバーを備えて構成した。
【０００９】
（２）  請求項２に記載の発明は、請求項１に記載のハンドル高さ調整機構において、一対のインサート部材間に押圧バネを装備して構成した。
【発明の効果】
【００１０】
上記のように構成される本発明が、如何に作用して課題を解決するかを図面を参照しながら概説する。
【００１１】
図１は本発明に係るハンドル高さ調整機構を備えた手押し車１の斜視図である。なお、図１は前脚フレーム２下端に装備される前輪、後脚フレーム３に装備される後輪は省略してある。
【００１２】
この手押し車１に装備される操作レバー５０を回転させること、及びハンドルフレーム１０を上下に移動させるという簡単な操作で、ハンドル高さを調整することが可能なものである。以下詳述する。
【００１３】
ハンドルフレーム１０を構成するスライド部材１２は、連結部材２０の中空部２１内を上下方向に摺動自在に設けてあり、係る動作が可能なスライド部材１２に設けた孔部１２ａにパイプ部材３０内に緩挿されるインサート部材４０の端部４２が嵌り込むことで、スライド部材１２の上下方向の動きをロックし、また、インサート部材４０の端部４２を孔部１２ａから抜くことで、ロック状態を解放しスライド部材１２の上下方向の動作を可能とするものである。なお、図５及び図６は先記ロック状態を、図７は解放状態を示している。
【００１４】
上記インサート部材４０の嵌抜動作を可能とするのが、操作レバー５０の回動運動による。すなわち、インサート部材４０に設けたガイドピン４１は、パイプ部材３０に設けられた長孔３１からパイプ部材３０外に突出しており、且つ、操作レバー５０に設けたガイド溝５１に緩挿されるている。そして、図２に示されるようにガイド溝５１は斜降していることから、操作レバー５０を回動させるとガイドピン４１は長孔３１内を水平方向に往復動することになる。このガイドピン４１の往復動により、一体化されているインサート部材４０が往復動をおこない、端部４２がスライド部材１２の孔部１２ａ内に嵌抜するものである。
【００１５】
このように、操作レバー５０を回動させることでロック状態を解放し、あるいはロック状態を維持するものである。図１において、使用者は操作レバー５０を手前に引くことでロック状態を解放し、この状態でハンドルフレーム１０を所望位置に調整し、操作レバー５０をもとの位置に戻すことでロック状態に戻すことが可能となるのである。そして請求項２に記載の発明においては、図５乃至図７に示されるように一対のインサート部材４０，４０間に押圧バネ６０が介在させてあることから、インサート部材４０が付勢され、容易にロック状態に復元可能となるものであり、使用者がハンドル高さ所望位置にハンドルフレーム１０を持ってくれば、ほぼ自動的に端部４２が孔部１２ａに嵌り込む、つまりロック状態になるものである。
【図面の簡単な説明】
【００１６】
【図１】実施状態を示す斜視図
【図２】操作レバーの分解斜視図
【図３】パイプ部材の斜視図
【図４】インサート部材の斜視図
【図５】ロック状態を水平方向から見た一部破断説明図
【図６】ロック状態を平面方向から見た一部破断説明図
【図７】解放状態を水平方向から見た一部破断説明図
【発明を実施するための形態】
【００１７】
以下、好ましい発明の一実施形態につき、図面を参照しながら概説する。なお、本発明の実施の形態は、下記の実施形態に何ら限定されることはなく、本発明の技術的範囲に属する限り種々の形態を採りうる。
【００１８】
ハンドルフレーム１０は、図１に示されるように略コ字状に屈曲されたパイプ体であるハンドル部１１と、該ハンドル部１１の下面に取付けられたパイプ体であるスライド部材１２とにより成る。スライド部材の長手方向側面には複数の孔部１２ａ・・が設けられている。
【００１９】
図１に示されるように、連結部材２０は樹脂製の三叉にわかれたパイプ体であり、上方に位置する中空部２１には、スライド部材１２が摺動自在に嵌挿されている。また、進行方向側に存する中空部２２には前脚フレーム２が、進行方向反対側に存する中空部２３には後脚フレーム３が、嵌め込まれたうえで固定されている。
【００２０】
また、パイプ部材３０をはめ込むための筒状部２４が側面に設けられており、図５乃至図７に示されるように、筒状部２４の奥端には、インサート部材４０の端部４２を通過自在にするための孔部２４ａが設けられている。なお、パイプ部材３０は筒状部２４に固定されており、パイプ部材３０は回動出来ないものである。
【００２１】
パイプ部材３０は図３に示されるようにパイプ体であり、図示される一対の長孔３１，３１と反対側にも、図示されない一対の長孔３１，３１が存するものである。
【００２２】
インサート部材４０は図４に示されるように円筒部材４３に棒体４４が固定されて成るものである。円筒部材４３には径方向にガイドピン４１が両側面に突出する形状で貫通して設けられている。図４においては一方側面に突出している形状のみ記されているが、図５や図７に示されるように、反対側側面にまで貫通突出しているものである。
【００２３】
このインサート部材４０が、図５乃至図７に示すように、パイプ部材３０内に対向する形状で一対、摺動自在に緩挿されている。そして、対向する筒状部２４の間には、押圧バネ６０が介在させてある。
【００２４】
操作レバー５０は、図２に示すように、円筒を長手方向に切断した一方片形状の湾曲部５２と、当該湾曲部５２と連設する板状の操作片部５３とにより成る一対の部材により成るものである。係る形状より成る一対の部材を操作片部５３に設けた孔部５３ａにリベットを嵌め、カシメることで操作レバー５０を形成する。この際湾曲部５２，５２により形成される円筒形の空洞部にパイプ部材３０が緩挿されるものである。
【００２５】
一方の湾曲部５２には中央上部から両側部に開く形状で下降するガイド溝５１が設けられており、他方の湾曲部５２には両側部上部から中央部に閉じる形状で下降するガイド溝５１が設けられている。係る形状にすることで、ガイド溝５１に摺動自在に緩挿されるガイドピン４１及びガイドピン４１と一体のインサート部材４０が、操作レバー５０の回動動作により、パイプ部材３０内を往復動することが可能となるのである。
【００２６】
尚、上記において長孔３１はパイプ部材３０の両側面に設けられ、ガイドピン４１は円筒形部材４３を貫通して両側面から突出する形状に設けられ、ガイド溝５１は両湾曲部５２に設けられているが、むろん一方側面側にのみ設け、或るいは突出する形状にしても同様の作用、すなわちインサート部材４０の往復動を生じせしめることが可能であり、本発明の技術的範囲に属するものである。
【符号の説明】
【００２７】
１０・・ハンドルフレーム      １１・・ハンドル部      １２・・スライド部材
１２ａ・・孔部
２０・・連結部材              ２１・・中空部          ２４・・筒状部
３０・・パイプ部材            ３１・・長孔
４０・・インサート部材        ４１・・ガイドピン      ４２・・端部
５０・・操作レバー            ５１・・ガイド溝        ５２・・湾曲部
５３・・操作片部
６０・・押圧バネ
【図１】
2015058905.tif 000003
【図２】
2015058905.tif 000004
【図３】
2015058905.tif 000005
【図４】
2015058905.tif 000006
【図５】
2015058905.tif 000007
【図６】
2015058905.tif 000008
【図７】
2015058905.tif 000009
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
下端に前輪を備えた前脚フレームと、下端に後輪を備えた後脚フレームと、ハンドル部を上部に備えたハンドルフレームとにより成る手押し車において、
ハンドル部（１１）を支持し、上下方向に設けられる一対のスライド部材（１２）に複数の孔部（１２ａ）を設け、
スライド部材（１２）を上下方向に移動可能に支持する一対の連結部材（２０）間に架け渡されるパイプ部材（３０）に、水平方向に伸びる一対の長孔（３１）を設け、
当該長孔（３１）からパイプ部材（３０）外部に突出するガイドピン（４１）を備えると共に、パイプ部材（３０）内を往復動自在であり端部（４２）が孔部（１２ａ）に出入り自在な、一対のインサート部材（４０）をパイプ部材（３０）内に装備し、
パイプ部材（３０）に回動自在に巻回され、その内周面に斜め方向に下降し、ガイドピン（４１）を緩挿可能なガイド溝（５１）を一対設けた操作レバー（５０）を備えた、手押し車におけるハンドル高さ調整機構。
【請求項２】
一対のインサート部材（４０）間に押圧バネ（６０）を装備した請求項１に記載の手押し車におけるハンドル高さ調整機構。